(57)【要約】１対の顎部材（２、３）と、１対の柄部材（５、６）とを含む、抜歯用の歯科鉗子。顎部材（２、３）は、患者の口の中に挿入して歯を掴むように設計されており、この目的で、枢軸（４）周りで互いに対して枢動可能である。柄部材（５、６）は、顎部材（２、３）に堅固に連結されており、柄部材が互いに近付き／遠ざかるように動くと、それに対応して顎部材（２、３）の間の隙間が閉じ／開く。柄部材（５、６）は、少なくともその一部が枢軸（４）に平行な方向に延びている部分を有する。【選択図】図１
2004524936.tif 000002
【特許請求の範囲】
【請求項１】
１対の顎部材と、各顎部材にそれぞれ堅固に連結された１対の柄部材とを含む抜歯用の歯科鉗子であって、顎部材は共通の枢軸周りで互いに対して枢動可能であり、柄部材は、少なくともその一部が枢軸に平行な方向に延びている部分を有する歯科鉗子。
【請求項２】
前記柄部材が非直線状である、請求項１に記載の歯科鉗子。
【請求項３】
前記共通の枢軸が、顎部材のハブ部分を通って延びており、前記柄部材は、枢軸に近接したハブ隣接部分と、枢軸から離れて配置された末端部分とを有しており、ハブ隣接部分と末端部分との間で角度曲げされている、請求項１または２に記載の歯科鉗子。
【請求項４】
前記曲げの角度が約９０°である、請求項３に記載の歯科鉗子。
【請求項５】
前記曲げの角度が９０°より大きい、請求項３に記載の歯科鉗子。
【請求項６】
前記曲げの角度が９０°より小さい、請求項３に記載の歯科鉗子。
【請求項７】
前記柄部材のハブ隣接部分が枢軸に概ね平行に延びている、請求項１〜６のいずれか一項に記載の歯科鉗子。
【請求項８】
前記柄部材のハブ隣接部分が枢軸に垂直な平面内に置かれている、請求項１〜７のいずれか一項に記載の歯科鉗子。
【請求項９】
前記柄部材が、枢軸と顎部材の端部との間にある位置で顎部材に連結されている、請求項１または２に記載の歯科鉗子。
【請求項１０】
添付図面のいずれか１つの図に関して実質的に本明細書に記載した、抜歯用の歯科鉗子。
【発明の詳細な説明】
【技術分野】
【０００１】
本発明は、抜歯用の歯科鉗子に関する。
【背景技術】
【０００２】
抜歯を目的として設計された歯科鉗子は、何世紀にもわたって存在してきたが、ヒトの口が小さいこと、頬が肉厚であること、および舌が絶え間なく動くことを含めたいくつかの要因により、抜歯が実施困難な手順となっている。口の奥の方に位置する大臼歯と、特に親知らずとは、殊のほか処置が困難である。
【０００３】
既存の歯科鉗子の現行の形態は、抜歯、特に臼歯の抜歯の際に、患者の口角および頬に非常に大きな力が加わるようなものであり、適切に接近し、満足に把持するには、患者の口を非常に大きく開けておかなければならず、このことが、顎関節（ＴＭＪ  ｊｏｉｎｔ）ならびに関連した口および口腔の硬／軟組織に有害な影響を及ぼすことがある。
【発明の開示】
【発明が解決しようとする課題】
【０００４】
本発明の目的は、歯科医が容易に使用でき、その患者にあまり不快感を引き起こさない歯科鉗子の設計を提供することである。
【課題を解決するための手段】
【０００５】
本発明によれば、抜歯用の歯科鉗子は、１対の顎部材と、各顎部材にそれぞれ堅固に連結された１対の柄部材とを含んでおり、顎部材が共通の枢軸周りで互いに対して枢動可能であり、柄部材が、少なくともその一部が枢軸に平行な方向に延びている部分を有する。
【０００６】
前記共通の枢軸は、顎部材のハブ部分を通って延び、前記柄部材は、枢軸に近接したハブ隣接部分と、枢軸から離れて配置された末端部分とを有し、ハブ隣接部分と末端部分との間で角度曲げされていることが好ましい。曲げ角度は、約９０°にすることができ、あるいは９０°より大きくても小さくてもよい。
【０００７】
柄部材は、非直線状にすることができる。
【０００８】
柄部材のハブ隣接部分は、枢軸に概ね平行に延ばすことができる。あるいは、柄部材のハブ隣接部分を枢軸に垂直な平面内に置くこともできる。
【０００９】
ここで一例として、本発明の実施形態について添付の図面に即して説明する。
【発明を実施するための最良の形態】
【００１０】
ここで図１を参照すると、１対の顎部材２および３を有する歯科鉗子１が示されている。顎部材２および３は、共通の枢軸周りで互いに相対的に枢動可能である。枢動部材４は、顎部材２および３から独立させることができ、または顎部材の一方と一体にすることができ、共通の枢軸に沿って延びている。１対の柄部材５および６は、顎部材２および３を操作するために設けられており、この目的で、各柄部材がそれぞれの顎部材に堅固に連結されている。柄部材５は顎部材２に、柄部材６は顎部材３に堅固に連結されている。
【００１１】
柄部材５および６は、非直線状に形成されている。例として柄部材５を考えると、該柄部材は、枢動部４に近接したハブ部分７と、枢動部４から離れて配置された末端部分８とを有しており、ハブ部分７と末端部分８との間で角度曲げ９されている。図１に示すように、曲げ９の角度は、約８０°である。しかし、曲げ９は、その角度を前記値よりも小さくまたは大きくすることができ、一般には、９０°より小さく、９０°に等しく、または９０°より大きい。柄部材６は、同様の形状である。図１から、柄部材の曲げは、柄部材の末端部分が、枢軸に概ね平行な成分を少なくとも有する方向に延びているようなものであることがわかる。
【００１２】
図１の歯科鉗子の使用時には、顎２および３の端部の動きが線ＲＴをたどることがわかる。顎部材２および３の動きをもたらす、柄部材５および６の端部の対応する動きは、線ＵＶに従う。鉗子の枢軸は、線ＫＬに平行である。線ＲＴおよび線ＵＶは、互いに平行であるが、線ＫＬには平行でない。
【００１３】
図１に示す歯科鉗子は、後部の歯の抜歯に特に有効である。作業医（ｐｒａｃｔｉｔｉｏｎｅｒ）は、親知らずを抜くために、従来の鉗子を使用するときのように側方からでなく、患者の正面から接近することができる。
【００１４】
本発明を具体化する歯科鉗子の代替的な形態を図２（Ａ）に示す。図２（Ａ）の実施形態では、類似の部品は、図１に示す実施形態と類似の参照番号を有する。ただし、図２（Ａ）では、枢動部４が、枢軸の線に沿って延びて、細長いヒンジ型機構を形成している。図２（Ａ）には、互いに直交する３つの方向Ｘ、Ｙ、およびＺが記されている。図２（Ｂ）は、方向Ｘでの鉗子の図で、図２（Ｃ）は、方向Ｙでの鉗子の図で、図２（Ｄ）は、方向Ｚでの鉗子の図である。また図２（Ａ）には、平面ＸＹも記されており、その平面上に、枢軸の線と一直線上にある柄部のハブ隣接部分と柄部の末端部分との間の角度曲げである、角度θが示されている。角度θは、図１の実施形態の角度曲げ９に相当する。
【００１５】
図２の各種の図に示されている実施形態では、鉗子を使用するときに作業医が掴む柄部の一部である柄部材の端部は、顎部材と一直線上にはないが、顎部材にほぼ平行にすることができる。したがって、鉗子を使用して抜歯のために歯を容易に掴むことができ、柄部を掴んでいるときに、患者の頬および関連組織にぶつけず、またはそれらを圧迫せずに、柄部が満足に患者の口から取り出される。
【００１６】
また、図２に示す鉗子と同様の効果は、図１に示すような短い枢動部材を保持し、代わりに柄部のハブ隣接部分を枢軸の方向に延ばすことによっても得ることができる。このような配置が、図３の（Ａ）、（Ｂ）、（Ｃ）、および（Ｄ）に示されており、これらは、図２で同様の番号を付けた図に対応する。図３に示す配置の場合、柄部のハブ隣接部分が患者の口の中に配置するので、軟組織を挟み（ｔｒａｐ）、または傷つけないように、注意して設計しなければならない。
【００１７】
図１、図２、および図３に示されるような本発明を具体化した歯科鉗子の例の様々な変形形態によって、歯科作業医は、患者に対する位置を変化させる必要なしに、口のどこからでも歯を抜くことができるようになる。
【００１８】
他の利点は、本発明を具体化する歯科鉗子を、右利きまたは左利き使用について設計できることである。そのような鉗子の例を図４および図５に示す。図４（Ａ）には、右利きの口腔外科医に適した、下顎の第２大臼歯の抜歯用に設計された歯科鉗子の斜視図が示されている。図４（Ａ）には方向Ｘ、Ｙ、およびＺが記されており、図４（Ａ）に示した歯科鉗子をこれらの各方向で見たときの図が、それぞれ図４（Ｂ）、図４（Ｃ）、および図４（Ｄ）に示されている。
【００１９】
図４（Ｃ）により明らかに示されているように、柄部材は、枢軸に近接したハブ隣接部分と、枢軸から離れて配置された末端部分とを有しており、ハブ隣接部分と末端部分との間で小さく角度曲げされている。ハブ隣接部分は、枢軸に平行な方向に延びている。柄部材を操作して顎部材を開閉する際には、柄部のハブ隣接部分が回転する間、それらが互いに対してほとんど動かないことがわかる。したがって、柄部のハブ隣接部分の周りに、ゴムなどの軟質材料の保護シースを設けることができる。このことは、柄部の間に患者の口の一部が挟まれるのを防ぐのに特に有用である。それは、患者の口の中に挿入する必要があるのが柄部のハブ隣接部分であるからである。
【００２０】
図５（Ａ）には、左利きの口腔外科医に適した、やはり下顎の大臼歯の抜歯用に設計された歯科鉗子の斜視図が示されている。図４（Ａ）と同様に、図５（Ａ）には方向Ｘ、Ｙ、およびＺが記されており、図５（Ａ）に示した歯科鉗子をこれらの各方向で見たときの図が、それぞれ図５（Ｂ）、５（Ｃ）、および５（Ｄ）に示されている。
【００２１】
図６は、類似の機能を備えた同様の実施形態を示しているが、使用者が口腔および抜歯される歯をよりよく見られるように、枢動部が代替的な位置に置かれている。
【００２２】
図７（Ａ）は、柄部材７１および７２と、顎部材７３および７４とを有する、本発明の他の実施形態の斜視図を示している。顎部材７３および７４は、枢動部７５で互いに枢動固定されている。柄部材７１および７２は、枢動部７５と顎部材７３および７４の端部との間の顎部材７３および７４に沿った位置で、顎部材７３および７４に固定されている。図７（Ｄ）からより明らかにわかるように、柄部材７１および７２は、互いに平行でなく、小さな角度で広がっている。ただし、好ましいのであれば、柄部材７１および７２を互いに平行になるように構築することができる。さらに、図７（Ｃ）により明らかに示されているように、各柄部材７１または７２には小さな曲げ部が設けられている。ただし、この特徴は任意選択であり、好ましいのであれば柄部材７１および７２をまっすぐにすることができる。
【００２３】
前述し図示した本発明の実施形態の１つまたは複数に適用可能な変更では、抜歯時に他の歯に損傷を与える危険を最小限に抑えるために、一般に管状の形態をした保護カバーを、柄部材のハブ隣接部分にかぶせて置くことができる。
【００２４】
前述し図示した本発明の実施形態は、主に臼歯の抜歯用であるが、臼歯以外の歯、ならびに歯垢（ｄｅｎｔａｌ  ｄｅｂｒｉｓ）の除去に使用することもできる。
【００２５】
前述し図示した本発明の実施形態は、除去すべき歯が口の左側または右側にある場合にも、口腔外科医が自身の位置を（仮に移動するとしても）大幅に移動する必要なしに使用できることが理解されよう。したがって、例えば下顎の左側の大臼歯を抜歯するときでも、口腔外科医は、例えば患者の後方および右側に座ったままでいることができる。
【００２６】
追加的または代替的に言及すると、前述し図示した本発明の実施形態のいずれの鉗子も、図示のとおりに、及び「鏡像」の形態にて提供でき、かくして右利きまたは左利きの作業医に適合させることができる。いずれにせよ、同一のタイプの鉗子を両方のタイプの作業医が使用してもよく、すなわち、必要ならば、右利きの作業医が左利き用の鉗子を使用してもよい。
【００２７】
当業者には容易に明らかである本発明の他の変形形態および実施形態は、本発明の領域および範囲内にあるものと見なされ、前述した特定の実施形態は、本明細書の特許請求の範囲で求められ定義される独占権の範囲から逸脱することなく、構造および詳細を変更することができ、例えば、それぞれの異なる特徴を入れ替える（適切なまたは望ましい場合）ことができる。
【図面の簡単な説明】
【００２８】
【図１】本発明を具体化した歯科鉗子の斜視図である。
【図２】（Ａ）は、本発明の代替的な実施形態の斜視図であり、（Ｂ）、（Ｃ）、および（Ｄ）は、（Ａ）の実施形態をそれぞれＸ、Ｙ、およびＺで記した方向で示す図である。
【図３】（Ａ）は、本発明の他の代替的な実施形態の斜視図であり、（Ｂ）、（Ｃ）、および（Ｄ）は、（Ａ）の実施形態をそれぞれＸ、Ｙ、およびＺで記した方向で示す図である。
【図４】（Ａ）は、本発明の他の代替的な実施形態の斜視図であり、（Ｂ）、（Ｃ）、および（Ｄ）は、（Ａ）の実施形態をそれぞれＸ、Ｙ、およびＺで記した方向で示す図である。
【図５】（Ａ）は、本発明の他の代替的な実施形態の斜視図であり、（Ｂ）、（Ｃ）、および（Ｄ）は、（Ａ）の実施形態をそれぞれＸ、Ｙ、およびＺで記した方向で示す図である。
【図６】（Ａ）は、本発明の他の代替的な実施形態の斜視図であり、（Ｂ）、（Ｃ）、および（Ｄ）は、（Ａ）の実施形態をそれぞれＸ、Ｙ、およびＺで記した方向で示す図である。
【図７】（Ａ）は、本発明の他の代替的な実施形態の斜視図であり、（Ｂ）、（Ｃ）、および（Ｄ）は、（Ａ）の実施形態をそれぞれＸ、Ｙ、およびＺで記した方向で示す図である。
【図１】
2004524936.tif 000003
【図２】
2004524936.tif 000004
【図３】
2004524936.tif 000005
【図４】
2004524936.tif 000006
【図５】
2004524936.tif 000007
【図６】
2004524936.tif 000008
【図７】
2004524936.tif 000009
【国際公開パンフレット】
2004524936.tif 000010
2004524936.tif 000011
2004524936.tif 000012
2004524936.tif 000013
2004524936.tif 000014
2004524936.tif 000015
2004524936.tif 000016
2004524936.tif 000017
2004524936.tif 000018
2004524936.tif 000019
2004524936.tif 000020
2004524936.tif 000021
2004524936.tif 000022
2004524936.tif 000023
2004524936.tif 000024
2004524936.tif 000025
2004524936.tif 000026
【国際調査報告】
2004524936.tif 000027
2004524936.tif 000028